(57)【要約】【課題】  高所に設置され、往き及び戻し配管を介して液体が供給される放熱器にあって、循環ポンプ停止時に放熱器内の液体が自力にて落下して、半密閉式タンクから吹き出することを防ぐことにある。【解決手段】  液体を流す循環ポンプ１から放熱器３に至る往き側配管２に逆止弁４を設ける。また、放熱器３から前記循環ポンプ１に至る戻し側配管６に電動形の弁８と、熱交換器１１と、分岐配管１７を介して半密閉式膨張タンク１３とを設ける。そして前記電動形の弁８が前記循環ポンプ１の駆動と連動して開かれる。【選択図】        図１
2006322657.tif 000002
【特許請求の範囲】
【請求項１】
液体を流す循環ポンプから放熱器に至る往き側配管に逆止弁を接続し、前記放熱器から前記循環ポンプに至る戻し側配管に、燃焼器より加熱される熱交換器と、この熱交換器の放熱器側に電動形の弁と、この電動形の弁の放熱器側に密閉式膨張タンクとを接続し、更に前記戻し配管の前記循環ポンプの上流側に分岐配管を接続し、この分岐配管に弁と半密閉式膨張タンクを接続すると共に、前記電動形の弁が前記循環ポンプの駆動に連動して開かれるようにしたことを特徴とする高所用の温水暖房装置。
【請求項２】
液体を流す循環ポンプから放熱器に至る往き側配管に逆止弁を接続し、前記放熱器から前記循環ポンプに至る戻し側配管に、燃焼器より加熱される熱交換器と、この熱交換器の放熱器側に密閉式膨張タンクを接続し、更に前記戻し配管の前記循環ポンプの上流側に分岐配管を接続し、この分岐配管に電動形の弁と半密閉式膨張タンクを接続すると共に、前記電動形の弁が前記循環ポンプの駆動に連動して開かれるようにしたことを特徴とする高所用の温水暖房装置。
【請求項３】
前記放熱器は屋根に設けられたことを特徴とする請求項１又は２記載の高所用の温水暖房装置。
【発明の詳細な説明】
【技術分野】
【０００１】
この発明は、高所に設置した放熱器に温水を供給する温水暖房装置に関する。
【背景技術】
【０００２】
積雪地帯にあって、駐車場の融雪や、家屋の屋根の融雪のために、加熱器により加熱された温水が供給され、駐車場下の放熱器から放熱され熱にて雪を融かしていたり、また、同様に屋根の場合には、屋根の放熱器から放熱により、屋根に積もった雪を融かしていた。
【０００３】
このようなシステムとして、特許文献１があり、燃焼器３の熱で加熱された液体が循環ポンプ９にて加圧され、往き配管を通り放熱器１７に至って、該放熱器１７から熱が放熱される。そして、放熱した液体は戻し配管を通って燃焼器３、熱交換器５にて、再び加熱され、循環ポンプ９にて前述のように、放熱器１７に流される作用が繰り返されている。
【特許文献１】特開平９−５３８３３号公報
【発明の開示】
【発明が解決しようとする課題】
【０００４】
上述の例で放熱器が駐車場などに使用する場合には、他の機器とに高低差がなく、配管内の液漏れの問題の発生はないが、家屋の屋根の下に放熱器を設置した場合には、循環ポンプ、熱交換器の機器との高低差が１０ｍ程となって、循環ポンプの停止時に、液体の自重により、下部配管内の圧力が高まり、半密閉式膨張タンクから液体が吹き出すことになるし、それにつれて、高所側の配管内の圧力が低下し、溶存空気が分離し、再運転時の循環不良を起こすことなどの問題が発生していた。
【０００５】
そこで、この発明は、高所に設置される放熱器に加熱した液体の供給する装置にあって、循環ポンプの停止時にも、配管内の液体の落下を防ぐことにある。
【課題を解決するための手段】
【０００６】
この発明に係る高所用の温水暖房装置は、液体を流す循環ポンプから放熱器に至る往き側配管に逆止弁を接続し、前記放熱器から前記循環ポンプに至る戻し側配管に燃焼器より加熱される熱交換器と、この熱交換器の放熱器側に電動形の弁と、この電動形の弁の放熱器側に密閉式膨張タンクとを接続し、更に前記戻し配管の前記循環ポンプの上流側に分岐配管を接続し、この分岐配管に弁と半密閉式膨張タンクを接続すると共に、前記電動形の弁が前記循環ポンプの駆動に連動して開かれるようにしたことにある（請求項１）。
【０００７】
これにより、循環ポンプの駆動時には、加熱液体は放熱器に循環ポンプにより供給され、停止時には、往き側配管上の逆止弁が働くと共に、戻り側配管の電動形の弁が閉じられ、放熱器内の液体が落下することが防がれる。したがって、分岐配管の半密閉式膨張タンクからの液の吹き出しを防ぐことができると共に、溶存空気が分離して高所配管に溜まることはない。なお配管内の圧力の上昇は、密閉式膨張タンクにより吸収されることになる。
【０００８】
また、この発明に係る高所用の温水暖房装置は、液体を流す循環ポンプから放熱器に至る往き側配管に逆止弁を接続し、前記放熱器から前記循環ポンプに至る戻し側配管に燃焼器より加熱される熱交換器と、この熱交換器の放熱器側に密閉式膨張タンクを接続し、更に前記戻し配管の前記循環ポンプの上流側に分岐配管を接続し、この分岐配管に電動形の弁と半密閉式膨張タンクを接続すると共に、前記電磁弁が前記循環ポンプの駆動に連動して開かれるようにしたことにある（請求項２）。
【０００９】
即ち、電動形の弁を分岐配管上に設けるようにしても、前記実施例１と同様な作用効果が得られるものである。したがって、循環ポンプの停止時に電動形の弁が閉じ、同時に逆止弁が働き、高所の放熱器内の液体が落下することはなくなり、分岐配管の半密閉式膨張タンクからの液の吹出しを防ぐことができると共に、溶存空気が分離することはなくなった。
【００１０】
前記放熱器は高所である屋根に設けられている（請求項３）。
【発明の効果】
【００１１】
以上のように、この発明によれば、往き側配管の逆止弁と、戻し側配管の電動形の弁が循環ポンプの停止時に働き、高所にある放熱器内の液体が落下することが防がれ、高所における配管内の空気分離が防止されると共に、半密閉式膨張タンクから液体の吹き出しを防ぐことができる。
【発明を実施するための最良の形態】
【００１２】
以下、この発明の実施例を図面にもとづいて説明する。
【実施例１】
【００１３】
図１において、この発明の第１の実施例が示され、配管は、半密閉式を採用している。即ち、液体を循環させる循環ポンプ１からの往き側配管２を介して高所に設置されている放熱器３に接続されている。この高所の放熱器３は、循環ポンプ１より１０ｍ位の高所にあり、例えば家屋の屋根に設置されている。このため、放熱器３から放熱された熱は屋根を温めることになり、積雪を融かすことになる。この放熱器３まで往き側配管２に逆止弁４が接続されている。これにより、液体の逆流が阻止されることになる。
【００１４】
前記放熱器３から前記循環ポンプ１までの戻し側配管６には、放熱器３側から密閉式膨張タンク７、電動形の弁８、安全弁９が接続され、さらに、燃焼器１０により液体が加熱される熱交換器１１が接続され、そして空気抜き弁１２、最後に、分岐配管１７が接続され、その分岐配管１７に半密閉式膨張タンク１３が弁１４を介して接続されている。
【００１５】
前記密閉式膨張タンク７は、仕切膜（ダイヤフラム）を介して２つの部屋が構成され、一方に液体が入り、他方に窒素などの加圧気体が封入されているアキュムレータである。前記電動形の弁８は前記循環ポンプ１と連動して動かされ、循環ポンプ１が稼働時に開かれ、停止時に閉じられる。
【００１６】
前記熱交換器１１は、バーナなどの燃焼器１０の熱により液体が加熱され、高温となって流出し、前記循環ポンプ１に吸引される。この熱交換器１１と循環ポンプ１との間の戻し側配管６に分岐配管１７を介して前記した半密閉式膨張タンク１３が接続されている。該半密閉式膨張タンク１３は、その頂部にバネ付勢の自動弁１６を持ち、内部に入っている液体の圧力を調節している。なお、配管２，６内に液体を注入する時は、キャップ１８を外して入れることができる。
【００１７】
上述の構成において、循環ポンプ１の駆動により、液体を所定圧に保持しながら、逆止弁４を介して放熱器３内に供給する。放熱器３にて熱を外部に放出する。そして、放熱器の設置場所の周囲の積雪を融かす。放熱が済んだ液体が戻し側配管６を介して戻され、開かれている電動形の弁８を介して熱交換器１１に流される。ここで液体が再び加熱される。充分に加熱されたら、循環ポンプ１の吸入側に戻される。
【００１８】
循環ポンプ１が停止されると、電動形の弁８も開から閉に切換られる。これにより、戻し側配管６内の液体の流動が防がれると共に逆止弁４により往き側配管２内の流体の流動も防がれる。したがって、半密閉式膨張タンク１３から液体が吹出されることがない。
【実施例２】
【００１９】
図２において、この発明の第２の実施例が示されている。この例では、電動形の弁８を戻し側配管６から、該戻し側配管６に分岐して接続の分岐配管１７に設けている。即ち、第１の実施例の弁１４の位置に、該弁１４を除いて電動形の弁８を配している。この弁８は前記した循環ポンプ１の駆動に連動して開かれると共に循環ポンプ１の停止時に連動して閉じられる。この電動形の弁８の閉により、戻し側配管６の圧力は、半密閉式膨張タンク１３に係らず、停止時に半密閉式膨張タンク１３から液体が吹き出されることがない。その他の部分は前記第１の実施例と同一のため、同一の符号を付して説明を省略する。
【図面の簡単な説明】
【００２０】
【図１】この発明の第１の実施例を示す概略の説明図である。
【図２】この発明の第２の実施例を示す概略の説明図である。
【符号の説明】
【００２１】
１  循環ポンプ
２  往き側配管
３  放熱器
４  逆止弁
６  戻し側配管
７  密閉式膨張タンク
８  電動形の弁
１０  燃焼器
１１  熱交換器
１３  半密閉式膨張タンク
１５  密閉式膨張タンク
１７  分岐配管
【図１】
2006322657.tif 000003
【図２】
2006322657.tif 000004